(57)【特許請求の範囲】
【請求項１】
電気接続箱本体と、該電気接続箱本体の開口部を覆い、該電気接続箱本体に収容された電気部品等に接続された電線を外部に引き出す電線取り出し口が設けられたカバーとを有する電気接続箱であって、前記電線取り出し口の下側に先端が下方に向かって延びる舌状の棚部を設けると共に、該棚部の両側縁に前記電線の取り出し方向を規制する一対の規制壁を設け、該規制壁の上縁間に橋架されて前記電線を保持可能な保持片が薄肉ヒンジを介して一体成形され、該保持片の一端に前記電線取り出し口に連通する電線挿入用切欠部を開閉するように、薄肉ヒンジを介して蓋部が一体成形されていることを特徴とする電気接続箱。
【発明の詳細な説明】
【０００１】
【発明の属する技術分野】
本発明は電気接続箱に関し、特に、電気接続箱本体と、該電気接続箱本体の開口部を覆い、該電気接続箱本体に収容された電気部品等に接続された電線を外部に引き出す電線取り出し口が設けられたカバーとを有する電気接続箱の改良に関するものである。
【０００２】
【従来の技術】
図７は、車両の電気系統の処理用に開発された電気接続箱の従来例を示したものである。
この電気接続箱１は、実開平７−８１０１号公報等に開示されたもので、ヒュージブルリンク２が嵌合装着された電気接続箱本体３の下部に、ロアカバー４が組み付けられる構成である。
【０００３】
このロアカバー４は、電気接続箱本体３の下側の開口部を覆うと共に、前記電気接続箱本体３に装着された電気部品としてのヒュージブルリンク２等に接続された複数の電線７を外部に引き出すための電線取り出し口５が設けられている。そして、電線取り出し口５の下縁には、当該ロアカバー４の底面と面一な長方形の棚部６が一体に突設されている。
【０００４】
そして、一端がヒュージブルリンク２に接続された電線７は、図７に想像線で示したように前記棚部６の上に引き出された後、図８に示したように、コルゲートチューブ８にかけて、粘着テープＴの巻付けにより棚部６と一体に覆われて、棚部６及びコルゲートチューブ８により固定され、取出し方向が規制される。
そこで、前記電線７は、ふらつきがなく、露出した部分の傷付きが防止される。
【０００５】
【発明が解決しようとする課題】
ところが、上述した棚部６は、単純な平板状であり、単に電線７を上に載せただけでは、複数の電線７がばらけたり、各電線７の曲げ剛性のために棚部６上から大きくはみ出す虞があった。
そこで、前記棚部６に電線７を固定する際には、先ず、複数の電線７を一つに束ねたり、まとめた後、電線７の束を手指で保持しながら棚部６と共に粘着テープＴを巻付けて固定する作業が必要であり、作業性が良くないという問題があった。
【０００６】
また、上記棚部６に固定された電線７は、電線取り出し口５から略水平方向に取り出された形態となっており、車体に対する電気接続箱１の取付状態や車体の傾き等によっては、電線７が電線取り出し口５から斜め上方に向かって取り出される姿勢になる。
そこで、電線取り出し口５から外部に取り出された電線７に付着した水滴が、電線７を伝って電線取り出し口５からロアカバー４内に侵入する虞もあった。
【０００７】
また、前記電線取り出し口５における水滴等の侵入防止を図る上では、電線取り出し口５にパッキンやグロメット等を装着する方法もあるが、このように別部材のパッキンやグロメットを装着する方法では、構成部品点数の増大、組立工程数の増大により、コストアップを招くという問題がある。その上、電線取り出し口５における隙間を完全に塞いでしまうと、万が一、他の部分からロアカバー４内に水が侵入した場合には、侵入した水の排出が難しくなり、僅かな水の侵入で大きな被害が生じる虞もある。
【０００８】
従って、本発明の目的は上記課題を解消することに係り、カバーに設けた電線取り出し口からの水の侵入を防止し、電線配索の作業性向上を図ることができる良好な電気接続箱を提供することである。
【０００９】
【課題を解決するための手段】
本発明の上記目的は、電気接続箱本体と、該電気接続箱本体の開口部を覆い、該電気接続箱本体に収容された電気部品等に接続された電線を外部に引き出す電線取り出し口が設けられたカバーとを有する電気接続箱であって、
前記電線取り出し口の下側に先端が下方に向かって延びる舌状の棚部を設けると共に、該棚部の両側縁に前記電線の取り出し方向を規制する一対の規制壁を設け、該規制壁の上縁間に橋架されて前記電線を保持可能な保持片が、薄肉ヒンジを介して一体成形され、該保持片の一端に前記電線取り出し口に連通する電線挿入用切欠部を開閉するように、薄肉ヒンジを介して蓋部が一体成形されていることを特徴とする電気接続箱により達成される。
【００１０】
上記構成によれば、電気接続箱本体に収容された電気部品等に接続された電線を電線取り出し口から引き出して電線取り出し口の棚部上に載置すると、この棚部上に載置された複数の電線は、前記棚部の両側縁に設けられた一対の規制壁によって棚部上での各電線の棚部幅方向の移動が規制され、挟まれる形態でばらつきが防止されると共に、取り出し方向が規制される。
そこで、棚部に複数の電線を固定するために、予め複数の電線を一つに束ねたり、まとめた後、電線の束を手指で保持することなく、棚部と共に粘着テープを巻付けて固定する作業が可能となり、カバーの電線取り出し口における電線配索の作業性を向上させることができる。
【００１１】
また、複数の電線が載置される棚部は、下方に向かって延びる舌状であり、該棚部の下方への傾斜角度を適宜設定しておくだけで、例えば、車体に対する電気接続箱の取付状態や車体の傾きに関わらず、棚部は取り出し口から斜め下方に下がった状態を維持させることが可能である。
そこで、電線取り出し口から外部に取り出された電線に付着した水滴が、電線を伝って電線取り出し口からカバー内に侵入したりするという不都合の発生を防止することができる。又、棚部上に付着した水滴も、斜め下方に延びる棚部に沿って流れ落ち、カバー内に侵入することはない。
即ち、前記電線取り出し口からの水の侵入防止を、パッキンやグロメット等の他の部品を用いることなく低コストで実現することができる。
【００１２】
また、前記一対の規制壁の上縁間に橋架されて前記電線を保持可能な保持片が、薄肉ヒンジを介して一体成形されているので、棚部上に載置された複数の電線は、一対の規制壁により棚部幅方向の移動が規制されると共に、前記保持片により上方の移動が規制されて棚部に確実に保持される。従って、保持片を閉じる操作だけで、簡単且つ迅速に複数の電線を棚部に添わせることができ、カバーの電線取り出し口における電線配索の作業性を更に向上させることができる。
【００１３】
また、前記保持片の一端に前記電線取り出し口に連通する電線挿入用切欠部を開閉するように、薄肉ヒンジを介して蓋部が一体成形されているので、電気接続箱本体内からカバーの電線取り出し口に複数の電線を引き出す際は、予め前記蓋部を開いて電線挿入用切欠部を開放状態にしておけば、開放されている上方から電線挿入用切欠部に電線を押し入れる簡単な作業で、電線取り出し口に複数の電線を導き入れると共に、棚部上に電線を添わせることができる。そして、前記蓋部を閉じて電線挿入用切欠部を閉塞状態とすれば、該電線挿入用切欠部から水滴等が浸入する虞もない。そこで、カバーの電線取り出し口に複数の電線を挿通させる作業も簡単になり、更なる作業性の向上を図ることが可能になる。
【００１４】
【発明の実施の形態】
以下、添付図面に基づいて本発明の一実施形態に係る電気接続箱を詳細に説明する。図１は本発明に係る電気接続箱の分解斜視図、図２は図１に示したロアカバーの要部拡大斜視図である。
【００１５】
図１に示した電気接続箱１１は、車両の電気系統で使用するリレーやヒューズなどの各種の電気部品とワイヤハーネスとの接続処理に使用するもので、ロアカバー１３とアッパーカバー１５とで画成される収容空間内に、第１の部品搭載ブロック１７と第２の部品搭載ブロック１９とで構成される電気接続箱本体２１を収容するものである。
【００１６】
前記電気接続箱本体２１の下側の開口部を覆うカバーであるロアカバー１３は、その上側の開口部に組み付けられるアッパーカバー１５と協働して、前記電気接続箱本体２１を収容する空間を画成している。
前記第１の部品搭載ブロック１７は、例えば上部にヒュージブルリンクを嵌合収容するヒュージブルリンク装着部１７ａ等を有すると共に、下部にはリレーの端子に接続する電線端の接続端子やジョイント端子を収容保持する端子収容部を有したヒュージブルリンクブロックである。
前記第２の部品搭載ブロック１９は、上部にヒューズ２３を装着するヒューズ装着部１９ａ等を有すると共に、下部には前記ヒューズ２３の端子に接続する電線端の接続端子２７等を収容保持する端子収容部を有したヒューズブロックである。
【００１７】
前記第２の部品搭載ブロック１９の側面には、嵌合検知用スペーサ２９を挿通可能なスペーサ挿入孔１９ｂが開口している。前記嵌合検知用スペーサ２９は、前記ヒューズ装着部１９ａに装着した接続端子２７が全て完全嵌合状態の時に、係合腕２９ａが完全に前記スペーサ挿入孔１９ｂ内に挿入されることで、各接続端子２７が完全嵌合状態であることを検知すると同時に、これら接続端子２７に係合腕２９ａを係合させて、各接続端子２７の抜けを防止する。
【００１８】
そして、これら第１の部品搭載ブロック１７と第２の部品搭載ブロック１９とから成る電気接続箱本体２１の下側の開口部を覆う前記ロアカバー１３は、該電気接続箱本体２１を収容した際に、前記第１及び第２の部品搭載ブロック１７，１９の外側面に装備した係合部１９ｃに係合するブロック係合部１３ａや、前記アッパーカバー１５の側壁に装備された係合部１５ａに係合するカバー係合部１３ｂを備えており、これらのブロック係合部１３ａやカバー係合部１３ｂの係合によって、電気接続箱本体２１とアッパーカバー１５との連結を果たす。
【００１９】
更に、前記ロアカバー１３は、前記電気接続箱本体２１を構成する第２の部品搭載ブロック１９に収容されたヒューズ２３などの電気部品に接続された電線を外部に引き出す電線取り出し口３０を有している。また、このロアカバー１３は、前記電線取り出し口３０の下側に先端が下方に向かって延びる舌状の棚部３１が設けられると共に、該棚部３１の両側縁には前記電線の取り出し方向を規制する一対の規制壁３３，３４が設けられている。
【００２０】
即ち、上述した電気接続箱１１によれば、前記ブロック１９に収容されたヒューズ２３などの電気部品に接続された電線３７を前記ロアカバー１３の電線取り出し口３０から引き出して該電線取り出し口３０の棚部３１上に載置すると、この棚部３１上に載置された複数の電線３７は、前記棚部３１の両側縁に設けられた一対の規制壁３３，３４によって棚部３１上での各電線３７の棚部幅方向の移動が規制され、挟まれる形態でばらつきが防止されると共に、取り出し方向が規制される。
【００２１】
そこで、棚部３１に複数の電線３７を固定するために、予め複数の電線３７を一つに束ねたり、まとめた後、電線３７の束を手指で保持することなく、棚部３１と共に粘着テープＴを巻付けて固定する作業が可能となり、ロアカバー１３の電線取り出し口３０における電線配索の作業性を向上させることができる。
【００２２】
また、複数の電線３７が載置される棚部３１は、下方に向かって延びる舌状であり、該棚部３１の下方への傾斜角度を適宜設定しておくだけで、例えば、車体に対する電気接続箱１１の取付状態や車体の傾きに関わらず、棚部３１は取り出し口３０から斜め下方に下がった状態を維持させることが可能である。
【００２３】
そこで、電線取り出し口３０から外部に取り出された電線３７に付着した水滴が、電線３７を伝って電線取り出し口３０からロアカバー１３内に侵入したりするという不都合の発生を防止することができる。又、棚部３１上に付着した水滴も、斜め下方に延びる棚部３１に沿って流れ落ち、ロアカバー１３内に侵入することはない。
従って、前記電線取り出し口３０からの水滴の侵入防止を、パッキンやグロメット等の他の部品を用いることなく低コストで実現することができる。
【００２４】
図３は本発明の一実施形態に係る電気接続箱の分解斜視図、図４は図３に示したロアカバーの要部拡大斜視図、図５及び図６は図３に示したロアカバーの電線取り出し口に複数の電線を挿通させる作業を説明する為の要部斜視図である。本実施形態の電気接続箱４１は、図３に示したように、ロアカバー４３の上部に組み付けられて電気接続箱本体２１を収容する収容空間を形成するアッパーカバー１５を有しており、これらアッパーカバー１５及び電気接続箱本体２１や嵌合検知用スペーサ２９は、上述した電気接続箱１１と共通であるので、同符号を付して詳細な説明を省略する。なお、前記第２の部品搭載ブロック１９は、ヒューズを嵌合装着する補助ブロック２０を該第２の部品搭載ブロック１９上のブロック収容部１９ｄに追加装備することで、ヒューズの搭載数の追加を可能にしている。
【００２５】
前記ロアカバー４３は、前記電気接続箱本体２１を収容した際に、前記第１及び第２の部品搭載ブロック１７，１９の外側面に装備した係合部１９ｃに係合するブロック係合部４３ａや、前記アッパーカバー１５の側壁に装備された係合部１５ａに係合するカバー係合部４３ｂを備えており、これらのブロック係合部４３ａやカバー係合部４３ｂの係合によって、電気接続箱本体２１とアッパーカバー１５との連結を果たす。
【００２６】
本実施形態のロアカバー４３は、上記第１実施形態のロアカバー１３と同様に、前記電気接続箱本体２１を構成する第２の部品搭載ブロック１９に収容されたヒューズ２３などの電気部品に接続された電線を外部に引き出す電線取り出し口３０を有しており、該電線取り出し口３０の下側には先端が下方に向かって延びる舌状の棚部３１が設けられると共に、該棚部３１の両側縁には前記電線の取り出し方向を規制する一対の規制壁３３，３４が設けられている。
【００２７】
更に、一方の規制壁３４の上縁には、前記一対の規制壁３３，３４の上縁間に橋架されて前記電線を保持可能な保持片４５が、薄肉ヒンジ４６を介して一体成形されている。
前記保持片４５は、前記薄肉ヒンジ４６を中心に回動自在であり、棚部３１と一対の規制壁３３，３４とで画成された空間の上方を開閉可能である。そして、保持片４５が閉じた状態の時には、先端部に設けた係合片４５ａを他方の規制壁３３に設けた係止手段３３ａに係合させることで、一対の規制壁３３，３４の上縁を塞いだ状態に固定される。
【００２８】
又、本実施形態では、前記ロアカバー４３の側壁４３ｅの一部が、前記電線取り出し口３０に連通する電線挿入用切欠部４９を開閉するように、前記保持片４５の一端縁に薄肉ヒンジ４７を介して一体形成された蓋部４８とされる。この蓋部４８は、図５に示すように、前記保持片４５を一対の規制壁３３，３４の上縁に橋架させた状態にすると、保持片４５の一端縁から上方に起立した状態になる。そして、その状態から前記薄肉ヒンジ４７回りの回動によって、蓋部４８をカバー内方に倒すと、先端部に設けた係合片４８ａが側壁４３ｅに設けた係止手段４３ｄに係合され、図６に示すように、ロアカバー４３の側壁４３ｅの一部となる。
【００２９】
そこで先ず、図４に示したように、前記棚部３１上に複数の電線３７を載置する。この際、前記電線取り出し口３０に連通する電線挿入用切欠部４９が開放されているので、上方から電線挿入用切欠部４９に電線３７を押し入れる簡単な作業で、電線取り出し口３０に複数の電線３７を無理なく導き入れることができると共に、棚部３１上に電線３７を添わせることができる。そして、該電線３７は一対の規制壁３３，３４により棚部幅方向の移動が規制される。
更に、前記保持片４５を回動して係合片４５ａを係止手段３３ａに係合させ、一対の規制壁３３，３４の上縁を塞ぐことで、図５に示したように、前記電線３７は上方の移動が規制されて棚部３１に確実に保持される。
【００３０】
即ち、前記電線３７は、前記保持片４５を閉じる操作だけで、各電線３７の棚部幅方向及び上方の移動が規制され、周囲を保持される形態でばらつきが防止されると共に、取り出し方向が規制されるので、簡単且つ迅速により多数の電線３７を棚部３１に添わせることができる。
そこで、棚部３１に複数の電線３７を固定するために、予め複数の電線３７を一つに束ねたり、まとめた後、電線３７の束を手指で保持することなく、棚部３１と共に粘着テープＴを巻付けて固定する作業が可能となり、ロアカバー４３の電線取り出し口３０における電線配索の作業性を更に向上させることができる。
【００３１】
そして更に、前記蓋部４８を薄肉ヒンジ４７回りに回動させ、係合片４８ａを係止手段４３ｄに係合させることによって、図６に示すように、該蓋部４８は側壁４３ｅの一部となり、複数の電線３７を導き入れる為の前記電線挿入用切欠部４９を閉塞状態とするので、該電線挿入用切欠部４９から水滴等が浸入するのを防止することもできる。
【００３２】
又、本実施形態の電気接続箱４１においても、上記電気接続箱１１と同様に、前記電線取り出し口３０からの水滴の侵入防止を、パッキンやグロメット等の他の部品を用いることなく低コストで実現することができる。尚、本発明の電気接続箱に係る電気接続箱本体、カバー、棚部及び規制壁等の構成は、上記各実施形態の構成に限定されるものではなく、本発明の趣旨に基づいて種々の形態を採りうることは言うまでもない。例えば、上記実施形態においては、一対の規制壁３３，３４がそれぞれロアカバーの側壁に連続した壁として棚部３１の両側縁に形成されているが、電線３７の取り出し方向を規制することができれば棚部３１の両側縁に部分的に垂設された壁とすることもできる。又、上記各実施形態においては、電線取り出し口が設けられたカバーとしてロアカバーについて説明したが、本発明のカバーはこれに限定されるものではなく、電気接続箱本体の開口部を覆うカバーであればアッパーカバー等の他のカバーにも応用できることは云うまでもない。
【００３３】
【発明の効果】
本発明の電気接続箱によれば、電気接続箱本体に収容された電気部品等に接続された電線を電線取り出し口から引き出して電線取り出し口の棚部上に載置すると、この棚部上に載置された複数の電線は、前記棚部の両側縁に設けられた一対の規制壁によって棚部上での各電線の棚部幅方向の移動が規制され、挟まれる形態でばらつきが防止されると共に、取り出し方向が規制される。
そこで、棚部に複数の電線を固定するために、予め複数の電線を一つに束ねたり、まとめた後、電線の束を手指で保持することなく、棚部と共に粘着テープを巻付けて固定する作業が可能となり、カバーの電線取り出し口における電線配索の作業性を向上させることができる。
【００３４】
また、複数の電線が載置される棚部は、下方に向かって延びる舌状であり、該棚部の下方への傾斜角度を適宜設定しておくだけで、例えば、車体に対する電気接続箱の取付状態や車体の傾きに関わらず、棚部は取り出し口から斜め下方に下がった状態を維持させることが可能である。
そこで、電線取り出し口から外部に取り出された電線に付着した水滴が、電線を伝って電線取り出し口からカバー内に侵入したりするという不都合の発生を防止することができる。又、棚部上に付着した水滴も、斜め下方に延びる棚部に沿って流れ落ち、カバー内に侵入することはない。
即ち、前記電線取り出し口からの水の侵入防止を、パッキンやグロメット等の他の部品を用いることなく低コストで実現することができる。
従って、カバーに設けた電線取り出し口からの水の侵入を防止し、電線配索の作業性向上を図ることができる良好な電気接続箱を提供できる。
【図面の簡単な説明】
【図１】本発明に係る電気接続箱の基本構成を示す分解斜視図である。
【図２】図１に示したロアカバーの要部拡大斜視図である。
【図３】本発明の一実施形態に係る電気接続箱の分解斜視図である。
【図４】図３に示したロアカバーの要部拡大斜視図である。
【図５】図３に示したロアカバーの電線取り出し口に複数の電線を挿通させる作業を説明する為の要部斜視図である。
【図６】図３に示したロアカバーの電線取り出し口に複数の電線を挿通させる作業を説明する為の要部斜視図である。
【図７】従来の電気接続箱を示す斜視図である。
【図８】図７に示した電気接続箱の電線取り出し口から電線を取り出した状態の要部斜視図である。
【符号の説明】
１１ 電気接続箱
１３ ロアカバー
１５ アッパーカバー
１７ 第１の部品搭載ブロック
１９ 第２の部品搭載ブロック
２１ 電気接続箱本体
２３ ヒューズ
２７ 接続端子
２９ 嵌合検知用スペーサ
３０ 電線取り出し口
３１ 棚部
３３，３４ 規制壁
３７ 電線
【図１】
0003758130.tif 000002
【図２】
0003758130.tif 000003
【図３】
0003758130.tif 000004
【図４】
0003758130.tif 000005
【図５】
0003758130.tif 000006
【図６】
0003758130.tif 000007
【図７】
0003758130.tif 000008
【図８】
0003758130.tif 000009